(57)【要約】【課題】本発明の目的は、４種以上のドットを用いた場合に、良好な品質で多色表示が可能な表示画面を提供することにある。【解決手段】本発明は、特定の２色を表示でき、かつ前記２色の一方のみを可逆的に表示できるドットを、すくなくとも４種備え、かつ、前記少なくとも４種のドットからそれぞれ少なくとも１つを集めたものを１単位とし、前記単位を繰り返し配列してなるドット集合体の表示画面であって、あるドットと、当該ドットに隣接するドットとを結んだいずれの直線上にも、少なくとも３種のドットが存在するように配列されていることを特徴とする表示画面に関する。【選択図】　　　図１
2004037591.tif 000002
【特許請求の範囲】
【請求項１】
特定の２色を表示でき、かつ前記２色の一方のみを可逆的に表示できるドットを、すくなくとも４種備え、かつ、
前記少なくとも４種のドットからそれぞれ少なくとも１つを集めたものを１単位とし、前記単位を繰り返し配列してなるドット集合体の表示画面であって、
あるドットと、当該ドットに隣接するドットとを結んだいずれの直線上にも、少なくとも３種のドットが存在するように配列されていることを特徴とする表示画面。
【請求項２】
ドットの種類が４種である請求項１記載の表示画面。
【請求項３】
単位が、実質的に下記の配列である請求項１または２記載の表示画面。
2004037591.tif 000006
（本配列は、１６個のドットの配列であり、数字が同じものは、同種のドットであることを表す。）
【請求項４】
ドットが、電気泳動表示素子よりなる請求項１〜３いずれか記載の表示画面。
【請求項５】
特定の２色を表示でき、かつ前記２色の一方のみを可逆的に表示できるドットを、すくなくとも４種備え、かつ、
前記少なくとも４種のドットからそれぞれ少なくとも１つを集めたものを１単位とし、前記単位を繰り返し配列してなるドット集合体の表示画面の配列方法であって、
あるドットと、当該ドットに隣接するドットとを結んだいずれの直線上にも、少なくとも３種のドットが存在するように配列されていることを特徴とする表示画面の配列方法。
【請求項６】
ドットの種類が４種である請求項５記載の表示画面の配列方法。
【請求項７】
単位が、実質的に下記の配列である請求項５または６記載の表示画面の配列方法。
2004037591.tif 000007
（本配列は、１６個のドットの配列であり、数字が同じものは、同種のドットであることを表す。）
【発明の詳細な説明】
【０００１】
【発明の属する技術分野】
本発明は、４種以上のドットを用いたデジタル表示画面に関する。さらに、詳しくは、電気泳動表示に代表される、２色を択一表示できるドットの集合体で多色を表現する画面に関する。
【０００２】
【従来の技術】
多色表示のできるデジタル表示デバイスとしては、ブラウン管ディスプレイ、プラズマディスプレイ、エレクトロルミネッセンスなどに代表される自己発光型のデバイスが多かった。また、液晶ディスプレイは自己発光こそしないものの、反射型表示デバイスとして考えると偏光フィルターやカラーフィルターを使うために原理的に入射光の一部しか反射できず結果として暗くてコントラストが低くなり、細かな文字や画像を表示するには不足する光量を補う目的でバックライトを使用することが一般的である。これらのデジタル表示デバイスは発光するためにエネルギーを必要とし、更にある時点での表示内容を表示し続けるためにもエネルギーが必要である。ところが近年の携帯電話やＰＤＡ、ノート型パソコンをはじめとする携帯型情報端末の急激な普及により、バッテリー駆動時間を延ばすためエネルギー消費量が少なく、かつ薄型な表示デバイスが強く望まれている。この要望を満たすデバイスの一つとして電気泳動表示デバイス（米国特許３６１２７５８号）がある。電気泳動表示デバイスは自己発光しない反射型表示デバイスの一種であり、２色択一表示の素子よりなるドットが重なることなく独立して並置されている。
【０００３】
【発明が解決しようとする課題】
２色択一表示のドットを用いて多色を表現しようとすると、複数種類の２色択一表示ドットを並置する必要がある。単純にドットを配置すると同一線上に同一色の２色択一表示ドットが出現する確立が高くなり、細線を表示すると本来表示されるべき色とは異なる色に着色して見える問題が生ずる。大画面のパノラマスクリーンなどでは自然画を表示することが多く問題が顕在化しにくいが、例えば細かい文字を表示した場合、特に日本語を表記するのに使われる頻度が高い明朝系の漢字フォントを表示した場合、文字の一部が直線状に変色して見え表示品質が非常に低くなり、情報端末の表示デバイスとしては実用上問題があった。本発明は、上記問題点に鑑みてなされたもので、その課題とするところは、４種以上のドットを用いた場合に、良好な品質で多色表示が可能な表示画面を提供することにある。
【０００４】
【課題を解決するための手段】
本発明は、特定の２色を表示でき、かつ前記２色の一方のみを可逆的に表示できるドットを、すくなくとも４種備え、かつ、
前記少なくとも４種のドットからそれぞれ少なくとも１つを集めたものを１単位とし、前記単位を繰り返し配列してなるドット集合体の表示画面であって、
あるドットと、当該ドットに隣接するドットとを結んだいずれの直線上にも、少なくとも３種のドットが存在するように配列されていることを特徴とする表示画面に関する。
【０００５】
また、本発明は、ドットの種類が４種である上記表示画面に関する。
【０００６】
また、本発明は、単位が、実質的に下記の配列である上記表示画面に関する。
2004037591.tif 000003
【０００７】
（本配列は、１６個のドットの配列であり、数字が同じものは、同種のドットであることを表す。）
また、本発明は、ドットが、電気泳動表示素子よりなる上記表示画面に関する。
【０００８】
また、本発明は、特定の２色を表示でき、かつ前記２色の一方のみを可逆的に表示できるドットを、すくなくとも４種備え、かつ、
前記少なくとも４種のドットからそれぞれ少なくとも１個を集めたものを１単位とし、前記単位を繰り返し配列してなるドット集合体の表示画面の配列方法であって、
あるドットと、当該ドットに隣接するドットとを結んだいずれの直線上にも、少なくとも３種のドットが存在するように配列されていることを特徴とする表示画面の配列方法に関する。
【０００９】
また、本発明は、ドットの種類が４種である上記配列方法に関する。
【００１０】
また、本発明は、単位が、実質的に下記の配列である上記表示画面の配列方法に関する。
2004037591.tif 000004
【００１１】
（本配列は、１６個のドットの配列であり、数字が同じものは、同種のドットであることを表す。）
【００１２】
【発明の実施の形態】
本発明で用いられるドットは、２色択一表示ドットであり、２色のいずれかしか表示できない。ドットは、従来技術で記載した自己発光型でも反射型でも原理的には可能である。本発明で用いられるドットについては、例えば、表示素子と呼ばれるものを用いることができ、素子自身で任意の２色を表示できるものであってもよいし、素子自身は特定の２色を表示でき、カラーフィルタなどで色変化させて任意の２色を表示できるものであってもよい。
【００１３】
本発明で用いられるドットの大きさが人間の目の分解能力の限界である５０μｍの半分である２５μｍより大きいときに、課題に挙げた現象は起こりやすい。また、ドットの形状は、楕円や三角形や四角形および六角形あるいはそれ以上の多角形であっても、本発明の効果は有効である。
【００１４】
本発明で用いられるドットは、公知の方法、例えば、液晶マトリックスの製造方法、特開平２００１−２３５７７１号公報記載の電気泳動表示装置の製造方法などを用いることで配列される。
【００１５】
ドットが表示できる２つの色、あるいは、４種以上のドットが表示できる色の組み合わせについては、特に限定はなく、目的に応じてその組み合わせが選択される。
【００１６】
本発明における同種のドットとは、表示できる２色が両方とも同じであるドットをいう。従って、本発明において、表示していない色が異なるために、同種でないドットが、同じ色を表示することもあり得る。
【００１７】
本発明の画面は、４種以上の前記ドットを少なくとも１つずつ集めたドット集合体を単位とする。単位を構成するドットの数は、ドットの種類以上であれば問題なく、単位中に存在するそれぞれドットの比率が、特定の種類に偏っていたとしても問題はない。
【００１８】
本発明の画面は、前記単位が、繰り返し配列することを特徴とする。前記ドット同士あるいは単位同士は、なるべく隙間なく配列されていることが好ましいが、隙間があってもよい。本発明で用いられる４種のドットからなる単位の例を、図１〜３に示す。図１および２は、１６個のドットの配列であり、図３は、６４個のドットの配列である。配列中、数字が同じものは、同種のドットであることを表す。この中では、図１または図２で示される配列が簡潔で好ましい。
【００１９】
本発明の配列の特徴は、あるドットと、当該ドットに隣接するドットとを、結んだいずれの直線上にも少なくとも３種のドットが存在することである。これが、２種以下のドットだけしか存在しないと、視覚的に周辺と比べて際だった色目の変化を感じられ、課題において述べた、文字の一部が直線状に変色して見えることになる。
【００２０】
例えば、図１の単位を繰り返した図４の画面において、単位内のあるドット（Ｓ５）に対しては、上記直線は、４種類存在することになる。また、図２の単位を繰り返した図５の画面において、単位内のあるドット（Ｓ５）に対しては、上記直線は、３種類存在することになる。本発明においては、これらの直線上に少なくとも３種のドットが存在しなければならない。
【００２１】
【実施例】
本発明の効果を評価するため、ドットの配列が異なる表示画面との比較実験を行なった。
【００２２】
図６は本発明の表示画面の一部分を示す図である。図６において、Ｓ１、Ｓ２、Ｓ３、Ｓ４は、それぞれ、表示画面に配列されている４種のドットであり、図中で表示記号が同じものは同じドットであることを示す。ここで、Ｓ１は藍色（Ｃ、シアン）と白色（Ｗ）とを択一的に表示できるドットであり、Ｓ２は紅色（Ｍ、マゼンタ）と白色、Ｓ３は黄色（Ｙ、イエロー）と白色、Ｓ４は黒色（Ｋ、ブラック）と白色を表示できるドットである。各ドットはＵ０を１単位として連続的に配列されている。
【００２３】
この他に、４種のドットそれぞれが表示できる２色は、Ｓ１として赤色（Ｒ、レッド）と黒色、Ｓ２として緑色（Ｇ、グリーン）と黒色、Ｓ３として青色（Ｂ、ブルー）と黒色、Ｓ４として白色と黒色の組み合わせ、あるいは、
Ｓ１として橙色（Ｏｒ、オレンジ）と白色、Ｓ２として緑色と白色、Ｓ３として紫色（Ｖｉ、バイオレット）と白色、Ｓ４として黒色と白色の組み合わせなどが挙げられる。
【００２４】
図７〜９は比較対象の表示画面の一部分を示している。
【００２５】
図７は、液晶モニタやブラウン管にみられる配列方法を踏襲したものであり、各ドットがそれぞれ縦に連続的に配列されている（Ａ１）。繰り返し単位はＵ１である。図８は各ドットがそれぞれ斜めに連続的に配列されている（Ａ２）。繰り返し単位はＵ２である。図９は縦方向の１列の中に４種中２種のドットしか配列されない表示画面である（Ａ３）。繰り返し単位はＵ３である。
【００２６】
本発明の効果を評価するため、市販のインキジェットプリンタ（ＥＰＳＯＮ製ＭＣ−９０００）を用いてドットの配列による画像の見えの違いをシミュレートした。本発明は、画像表示手段によらないため、このシミュレーションにおいても、本発明の効果を確認することができる。
【００２７】
プリンタで各配列の見えの結果をシミュレートできるように、プリンタの１ピクセルが表示画面の１ドットに対応するような画像を作成した。使用したプリンタの出力解像度は７２０ｄｐｉであるため、直径約３５μｍのほぼ円形のドットを再現できた。
【００２８】
実験結果を表１に示す。視認性（可読性）の比較では、本発明とＡ２が良好で、Ａ１とＡ３が劣っている。カラー画像で重要な色再現性の比較では、本発明がもっとも良好である。画像の粒状性（ざらつき）の比較では、本発明とＡ３が良好である。周期パターンが発生するか否かの比較では、本発明とＡ２およびＡ３が良好である。文字品質や細線に関する比較では、本発明がもっとも良好である。以上、それぞれの比較項目において、本発明は全て良好に表示可能であった。表１
【００２９】
【表１】
2004037591.tif 000005
【００３０】
【発明の効果】
以上述べたように、ドットの配列を制御することにより、４種以上のドットからなる画面において良好な画像を表示できる表示画面を構成することが可能となった。
【図面の簡単な説明】
【図１】本発明の単位の一例を表す。
【図２】本発明の単位の一例を表す。
【図３】本発明の単位の一例を表す。
【図４】本発明のあるドットと、当該ドットに隣接するドットとを結んだすべての直線の一例を表す。
【図５】本発明のあるドットと、当該ドットに隣接するドットとを結んだすべての直線の一例を表す。
【図６】本発明の配列の一例を表す。
【図７】比較対照とした配列の一例を表す。
【図８】比較対照とした配列の一例を表す。
【図９】比較対照とした配列の一例を表す。
【符号の説明】
Ｓ１〜Ｓ４：４種のドット
Ｓ５：注目したドット
Ｕ０〜Ｕ３：１６個のドットからなる単位
Ａ１〜Ａ３：比較対照とした配列
【図１】
2004037591.tif 000008
【図２】
2004037591.tif 000009
【図３】
2004037591.tif 000010
【図４】
2004037591.tif 000011
【図５】
2004037591.tif 000012
【図６】
2004037591.tif 000013
【図７】
2004037591.tif 000014
【図８】
2004037591.tif 000015
【図９】
2004037591.tif 000016